(57)【要約】【課題】  既に記録媒体に圧縮されたフォーマットで記録されているデータを再圧縮して記録媒体に書き直し記録媒体のより効率よい利用を図ることができる映像記録／再生装置及びそのデータの再圧縮記録方法を提供する。【解決手段】  本発明の映像記録／再生装置は、入力されるデジタル映像データを所定の第１の圧縮率にて圧縮し生成した第１の圧縮データを出力するエンコーダーと、第１の圧縮データを記録する記録部と、記録部に記録された第１の圧縮データを伸張し、デジタル映像データに復元し出力するデコーダー、及びデコーダーから出力されるデジタル映像データをエンコーダーに伝え、エンコーダーで伝わったデジタル映像データを所定の第２の圧縮率にて圧縮して第２の圧縮データを生成し出力するようにし、出力された第２の圧縮データが記録部に記録されるように制御する制御部とを含む。【選択図】      図２
2005071572.tif 000002
【特許請求の範囲】
【請求項１】
入力されるデジタル映像データを所定の第１の圧縮率にて圧縮し生成した第１の圧縮データを出力するエンコーダーと；
前記第１の圧縮データを記録する記録部と；
前記記録部に記録された前記第１の圧縮データを伸張し、前記デジタル映像データに復元し出力するデコーダーと；
前記デコーダーから出力される前記デジタル映像データを前記エンコーダーに伝え、前記エンコーダーで伝わった前記デジタル映像データを所定の第２の圧縮率にて圧縮して第２の圧縮データを生成し出力するようにし、出力された前記第２の圧縮データが前記記録部に記録されるように制御する制御部とを含むことを特徴とする映像記録／再生装置。
【請求項２】
前記第１の圧縮データを前記第２の圧縮データに変換するための再圧縮命令信号を出力するキー入力部を更に含み、
前記制御部は、前記再圧縮命令信号を受信すると、前記第２の圧縮データが生成されるように制御することを特徴とする請求項１に記載の映像記録／再生装置。
【請求項３】
前記キー入力部は、給電のためのパワーオン信号及び前記給電を遮断するためのパワーオフ信号のいずれかを出力する主スイッチを含み、
前記制御部は、前記再圧縮命令信号を受信した後に前記パワーオフ信号を受信すると、前記第２の圧縮データが生成されるように制御することを特徴とする請求項２に記載の映像記録／再生装置。
【請求項４】
入力されたアナログ映像データを前記デジタル映像データに変換し前記エンコーダーに提供する入力信号変換部と；
前記デコーダーから出力される前記デジタル映像データを入力され前記アナログ映像データに変換する出力信号変換部とを更に含むことを特徴とする請求項２に記載の映像記録／再生装置。
【請求項５】
前記制御部の制御によって、前記入力信号変換部及び前記デコーダーからそれぞれ出力される前記デジタル映像データのいずれかを前記エンコーダーに入力するための第１のスイッチ部を更に含み、
前記制御部は、前記再圧縮命令信号を受信すると、前記デコーダーから出力される前記デジタル映像データが前記エンコーダーに入力されるように前記第１のスイッチ部を制御することを特徴とする請求項４に記載の映像記録／再生装置。
【請求項６】
前記制御部の制御によって、前記デコーダーから出力される前記デジタル映像データを前記エンコーダー及び出力信号変換部のいずれかに入力するための第２のスイッチ部を更に含み、
前記制御部は、前記再圧縮命令信号を受信すると、前記デコーダーから出力される前記デジタル映像データが前記エンコーダーに入力されるように前記第２のスイッチ部を制御することを特徴とする請求項４に記載の映像記録／再生装置。
【請求項７】
前記第１の圧縮データはＭＰＥＧ−２フォーマットであり、
前記第２の圧縮データは、ＭＰＥＧ−４フォーマットであることを特徴とする請求項１に記載の映像記録／再生装置。
【請求項８】
デジタル映像データを所定の第１の圧縮率にて圧縮し生成した所定の第１の圧縮データを記録する映像記録／再生装置のデータの再圧縮記録方法であって、
前記第１の圧縮データを所定の第２の圧縮データに変換するための再圧縮命令を入力するステップと；
前記再圧縮命令が入力されると、前記第１の圧縮データを伸張し、前記デジタル映像データに復元するステップと；
復元された前記デジタル映像データを所定の第２の圧縮率にて圧縮して前記第２の圧縮データを生成するステップと；
生成された前記第２の圧縮データを記録するステップとを含むことを特徴とする映像記録／再生装置のデータの再圧縮記録方法。
【請求項９】
給電のための主スイッチがオフされた後に前記第１の圧縮データを前記第２の圧縮データに変換するための自動−再圧縮命令を入力するステップを更に含み、
前記自動−再圧縮命令が入力されると、前記主スイッチがオフされた後に前記復元ステップ、前記生成ステップ及び前記記録ステップを行うことを特徴とする請求項８に記載の映像記録／再生装置のデータの再圧縮記録方法。
【請求項１０】
前記第１の圧縮データはＭＰＥＧ−２フォーマットであり、
前記第２の圧縮データは、ＭＰＥＧ−４フォーマットであることを特徴とする請求項８に記載の映像記録／再生装置のデータの再圧縮記録方法。
【発明の詳細な説明】
【技術分野】
【０００１】
本発明は、映像記録／再生装置及びデータの再圧縮記録方法に係り、より詳しくは、記録媒体に映像データを圧縮して記録することができる映像記録／再生装置及びデータの再圧縮記録方法に係る。
【背景技術】
【０００２】
デジタル衛生放送及び地上波デジタル放送方式によれば、高画質映像を視聴者のＴＶまでに伝送することが可能である。それだけでなく、アナログ放送では不可能であった多くの付加情報を共に伝送することができ、視聴者らが該情報を利用することができる。従って、視聴者らは、デジタル放送を通じて様々なエンターティメントが楽しまれるようになり、デジタル放送のような高画質の映像データを記録及び再生するための映像記録／再生装置に対する関心が高まりつつある。
【０００３】
映像データを記録及び再生するための装置としては、ＶＣＲ（ビデオカセットレコーダ）、ＤＶＤＰ（デジタルビデオディスクプレーヤ）、ＤＶＲ（デジタルビデオレコーダ）等がある。
【０００４】
これらのうちのＤＶＲは、地上波放送、衛星放送、ケーブル放送、インターネットを介したネットワーク放送等といった各種のデジタル映像データを容易に記録し再生することができるため、その需要が増加しつつある。特に、ＤＶＲは、ハードディスクドライブ（ＨＤＤ）に映像データをファイル化して記録するため、再生ファイルの検索が容易であり且つ複数回再生しても画質の劣化が発生しない。
【０００５】
一方、ＨＤＤの記録容量には限界があるため、ＤＶＲは、ＨＤＤの記録空間を効率よく使用するために映像データを圧縮して記録するが、主に高効率圧縮方式であるＭＰＥＧフォーマットで圧縮し記録する。
【０００６】
大衆の娯楽文化がオーディオ媒体中心であった過去とは異なって、現在は、映像媒体中心に切り変わり、これに伴って映像データの使用頻度数が増え、ＨＤＤに記録される映像データの数が増加するようになった。また、現代人の求める高画質の映像データは、その容量が大きいため、いくら大容量のＨＤＤを使用するＤＶＲであるとしても高画質の映像データを記録するうちに直ぐＨＤＤの記録容量の限界に至ってしまうようになる。
【０００７】
ＨＤＤに空き空間のない場合、更に映像データを記録するためには、既に記録されている映像データを削除するか、またはＨＤＤを容量のより大きい他のＨＤＤに取り替えるか、別途に記録媒体を追加しなければならない。しかし、この場合には、削除を希望しない映像データまでをも削除しなければならない不具合や、記録媒体の取替え／追加のために付帯費用が発生するという問題点が生じる。
【発明の開示】
【発明が解決しようとする課題】
【０００８】
本発明は、前記のような問題点を解決するためになされたものであって、その目的は、既に記録媒体に圧縮されたフォーマットで記録されているデータを再圧縮して記録媒体に書き直す映像記録／再生装置及びそのデータの再圧縮記録方法を提供することにある。
【課題を解決するための手段】
【０００９】
前記目的を達成するための本発明に係る、映像記録／再生装置は、入力されるデジタル映像データを所定の第１の圧縮率にて圧縮し生成した第１の圧縮データを出力するエンコーダーと；前記第１の圧縮データを記録する記録部と；前記記録部に記録された前記第１の圧縮データを伸張し、前記デジタル映像データに復元し出力するデコーダーと；前記デコーダーから出力される前記デジタル映像データを前記エンコーダーに伝え、前記エンコーダーで伝わった前記デジタル映像データを所定の第２の圧縮率にて圧縮して第２の圧縮データを生成し出力するようにし、出力された前記第２の圧縮データが前記記録部に記録されるように制御する制御部とを含む。
【００１０】
そして、映像記録／再生装置は、前記第１の圧縮データを前記第２の圧縮データに変換するための再圧縮命令信号を出力するキー入力部を更に含み、前記制御部は、前記再圧縮命令信号を受信すると、前記第２の圧縮データが生成されるように制御することが好ましい。
【００１１】
また、前記キー入力部は、給電のためのパワーオン信号及び前記給電を遮断するためのパワーオフ信号のいずれかを出力する主スイッチを含み、前記制御部は、前記再圧縮命令信号を受信した後に前記パワーオフ信号を受信すると、前記第２の圧縮データが生成されるように制御することが好ましい。
【００１２】
そして、入力されたアナログ映像データを前記デジタル映像データに変換し前記エンコーダーに提供する入力信号変換部と；前記デコーダーから出力される前記デジタル映像データを入力され前記アナログ映像データに変換する出力信号変換部とを更に含み得る。
【００１３】
また、映像記録／再生装置は、前記制御部の制御によって、前記入力信号変換部及び前記デコーダーからそれぞれ出力される前記デジタル映像データのいずれかを前記エンコーダーに入力するための第１のスイッチ部を更に含み、前記制御部は、前記再圧縮命令信号を受信すると、前記デコーダーから出力される前記デジタル映像データが前記エンコーダーに入力されるように前記第１のスイッチ部を制御することができる。
【００１４】
そして、映像記録／再生装置は、前記制御部の制御によって、前記デコーダーから出力される前記デジタル映像データを前記エンコーダー及び出力信号変換部のいずれかに入力するための第２のスイッチ部を更に含み、前記制御部は、前記再圧縮命令信号を受信すると、前記デコーダーから出力される前記デジタル映像データが前記エンコーダーに入力されるように前記第２のスイッチ部を制御することができる。
【００１５】
また、前記第１の圧縮データはＭＰＥＧ−２フォーマットであり、前記第２の圧縮データは、ＭＰＥＧ−４フォーマットであることがよい。
【００１６】
一方、本発明に係るデジタル映像データを所定の第１の圧縮率にて圧縮し生成した所定の第１の圧縮データを記録する映像記録／再生装置のデータの再圧縮記録方法は、前記第１の圧縮データを所定の第２の圧縮データに変換するための再圧縮命令を入力するステップと；前記再圧縮命令が入力されると、前記第１の圧縮データを伸張し、前記デジタル映像データに復元するステップと；復元された前記デジタル映像データを所定の第２の圧縮率にて圧縮して前記第２の圧縮データを生成するステップと；生成された前記第２の圧縮データを記録するステップとを含む。
【００１７】
そして、映像記録／再生装置のデータの再圧縮記録方法は、給電のための主スイッチがオフされた後に前記第１の圧縮データを前記第２の圧縮データに変換するための自動−再圧縮命令を入力するステップを更に含み、前記自動−再圧縮命令が入力されると、前記主スイッチがオフされた後に前記復元ステップ、前記生成ステップ及び前記記録ステップを行うことが好ましい。
【００１８】
また、前記第１の圧縮データはＭＰＥＧ−２フォーマットであり、前記第２の圧縮データは、ＭＰＥＧ−４フォーマットであることがよい。
【発明の効果】
【００１９】
以上で説明したように、本発明によれば、既に記録媒体に圧縮されたフォーマットで記録されているデータをより高い圧縮率にて再圧縮して記録媒体に書き直すことができる。従って、記録媒体の記録容量が足りなくなった場合、更にデータを記録するために、既に記録されているデータを削除したり、記録媒体を容量のより大きい他の記録媒体に取り替えたり、別途に記録媒体を追加したりする不便を防止することができる。即ち、本発明によれば、記録媒体のより効率よい利用を図ることができるようになる。
【発明を実施するための最良の形態】
【００２０】
以下、図面を参照して本発明をより詳しく説明する。
【実施例１】
【００２１】
図１は、本発明の一実施例に係る映像記録／再生装置が適用されるディスプレイシステムを説明するための図である。同図に示すように、映像記録／再生装置１００は、ディスプレイ装置であるテレビ３００に伝送ケーブル３５０を介して接続されている。映像記録／再生装置１００は、外部入力装置であるリモートコントローラー２００から受信した信号を処理し、表示情報をテレビ３００に伝送する。
【００２２】
図２は、図１の映像記録／再生装置１００のブロック図である。同図に示すように、映像記録／再生装置１００は、入／出力端子部１１０、スイッチング部１２３、第１のスイッチ部１４０、第２のスイッチ部１５０、ＭＰＥＧエンコーダー１６１、ハードディスクドライブ（ＨＤＤ）１７１、及び主制御部１５０等を備える。
【００２３】
入／出力端子部１１０は、各種の映像信号源から映像信号を受信し、受信した映像信号及びハードディスクドライブ１７１とディスクプレイヤー１７５で再生された映像信号を出力する。
【００２４】
入／出力端子部１１０には、スーパービデオ入力端子（Ｓ−Ｖ  ＩＮ）１１１及び出力端子（Ｓ−Ｖ  ＯＵＴ）１１２、ＲＦ入力端子（ＲＦ  ＩＮ）１１３及び出力端子（ＲＦ  ＯＵＴ）１１４、ラインビデオ／オーディオ入力端子（ＬＩＮＥ  Ｖ＿ＩＮ、ＬＩＮＥ  Ａ＿ＩＮ）１１５及び出力端子（ＬＩＮＥ  Ｖ＿ＯＵＴ、ＬＩＮＥ  Ａ＿ＯＵＴ）１１６、デジタルオーディオ信号出力端子（ＳＰＤＩＦ；シリアルパラレルデジタルインターフェース）１１７が設けられている。
【００２５】
チューナー１２１は、入／出力制御部１２５から要請するチャンネルの放送信号がＲＦ入力端子１１３を介して受信できるようにチャンネルを選局する。スイッチング部１２３は、入／出力制御部１２５で制御され、スイッチング部１２３に接続された入／出力端子を選択的に接続する。
【００２６】
ビデオデコーダー１３１は、印加されるアナログビデオ信号をデコードしてデジタルビデオ信号に変換し出力する。デジタルビデオ信号は、第１のスイッチ部１４０に設けられた第１のビデオ経路スイッチ部１４０ａを介してＭＰＥＧエンコーダー１６１に印加される。
【００２７】
オーディオＡ／Ｄ変換部１３３は、印加されるアナログオーディオ信号をデジタルオーディオ信号に変換し出力する。デジタルオーディオ信号は、第１のスイッチ部１４０に設けられた第１のオーディオ経路スイッチ部１４０ｂを介してＭＰＥＧエンコーダー１６１に印加される。
【００２８】
ＭＰＥＧエンコーダー１６１は、デジタルビデオ信号とデジタルオーディオ信号を第１のスイッチ部１４０を介して入力され、既に設定された圧縮フォーマット及び圧縮率にてエンコードし、記録対象のデータに対しては、ハードディスクドライブ１７１に記録する。好ましくは、ＭＰＥＧエンコーダー１６１は、ＭＰＥＧ−２圧縮フォーマットでエンコードする。デジタルビデオ信号及びデジタルオーディオ信号をＭＰＥＧ−２  ６ＭｂｐｓのＳＤ級ビットレートで記録する場合、１時間を記録するのに３ＧＢの容量を必要とする。
【００２９】
そして、本実施例では、圧縮されたデータが記録される記録媒体としてハードディスクドライブ１７１を例に挙げたが、この他にも光記録媒体、半導体メモリ等のようにデータを記録可能な記録媒体であればいずれも適用可能である。ＳＤＲＡＭ１６３は、ＭＰＥＧエンコーダー１６１でエンコードされたデータが仮記録される所定のバッファである。
【００３０】
データ管理部１７７は、ハードディスクドライブ１７１とディスクプレイヤー１７５に記録された映像データの再生と記録を管理する。そして、受光部１９１は、リモートコントローラー２００から送り込まれるユーザーの操作信号を受信し主制御部１８０に伝える。キー入力部１９３は、映像記録／再生装置１００の前面部に設けられ、ユーザーの操作信号を主制御部１８０に伝える。
【００３１】
主制御部１８０は、中央処理装置（ＣＰＵ）１８１と、ＭＰＥＧデコーダー１８３、及びメニュー画面を生成するＯＤＳ部（オンスクリーンディスプレイユニット）１８５とが組み合わされて単一チップ形態のＩＣになっている。ＭＰＥＧデコーダー１８３及びＯＳＤ部１８５は、別途のチップに分離され、主制御部１８０に接続できることは言うまでもない。
【００３２】
ＭＰＥＧデコーダー１８３は、ＭＰＥＧ方式で圧縮されたデータをデコードして、デジタルビデオ信号とデジタルオーディオ信号をそれぞれ復元し出力する。ＭＰＥＧデコーダー１８３から出力されるデジタルビデオ信号は、第２のスイッチ部１５０に設けられた第２のビデオ経路スイッチ部１５０ａを介してビデオエンコーダー１３７に印加される。そして、ＭＰＥＧデコーダー１８３から出力されるデジタルオーディオ信号は、第２のスイッチ部１５０に設けられた第２のオーディオ経路スイッチ部１５０ｂを介してオーディオＤ／Ａ変換部１３５に印加される。
【００３３】
ビデオエンコーダー１３７は、デジタルビデオ信号をエンコードしアナログビデオ信号に変換してスイッチング部１２３に出力する。
【００３４】
オーディオＤ／Ａ変換部１３５は、デジタルオーディオ信号をアナログオーディオ信号に変換してスイッチング部１２３に出力する。
【００３５】
以下、ハードディスクドライブ１７１にＭＰＥＧ−２フォーマットで圧縮され記録されたデータを高圧縮率にて再圧縮してハードディスクドライブ１７１に書き直す過程について説明する。
【００３６】
まず、ユーザーがリモートコントローラー２００またはキー入力部１９３に設けられた操作ボタンを用いて‘編集’モードを設定すれば、主制御部１８０のＯＳＤ部１８５は、‘編集’メニュー画面を生成し、生成されたメニュー画面は、テレビ３００に伝送されディスプレイされる。
【００３７】
次いで、ユーザーは、テレビ３００にディスプレイされた‘編集’メニュー画面上において、リモートコントローラー２００またはキー入力部１９３に設けられた‘方向キー’を用いてカーソルを動かし、‘確認キー’を用いてカーソルが位置したメニュー項目を選択することができる。
【００３８】
図３Ａ乃至図３Ｄには、テレビ３００にディスプレイされた‘編集’メニュー画面を用いて、既に記録されているデータを再圧縮して書き直すように設定する方法が説明されている。図３Ａに示すように、メニュー画面の最上段４１０には、メニュー画面に関する情報として‘Ｅｄｉｔ’（編集）が表示される。そして、メニュー画面の最下段４４０には、キー操作の利用に関するガイド情報が表示されている。
【００３９】
‘Ｅｄｉｔ’（編集）の下には、それに関連するサブメニュー４２０が表示され、図３ａには、‘Ｅｄｉｔ’のサブメニューとして‘Ｃｏｍｂｉｎｅ’、‘Ｄｉｖｉｄｅ’、‘Ｄｅｌｅｔｅ’、‘Ｐａｒｔｉａｌ  Ｄｅｌｅｔｅ’、及び‘Ｒｅｃｏｍｐ（ｒｅｓｓｉｏｎ）’が表示されている。これらのうちから‘Ｒｅｃｏｍｐ’を選択すれば、主制御部１８０は、データ管理部１７７を制御して、ハードディスクドライブ１７１に記録されている映像データの情報を読み出す。映像データの情報には、各映像の初期画面、題名、記録日付、総再生時間、画質等が含まれている。読み出された情報は、テレビ３００に伝送されディスプレイされる。
【００４０】
伝送された映像データに関する情報は、Ｒｅｃｏｍｐウィンドウ４３０に表示される。即ち、Ｒｅｃｏｍｐウィンドウ４３０には、現にハードディスクドライブ１７１に記録されている映像データのリスト４３１として各映像の初期画面４３１ａ〜４３１ｆが水平に表示される。映像データのリスト４３１の下段には、カーソルが位置した映像に関する情報４３３が表示される。図３Ａにおいて、カーソルは、４３１ａに位置しており、４３１ａに関する情報４３３として題名、記録日付、総再生時間、及び画質が表示されている。
【００４１】
再圧縮対象リスト４３５には、ユーザーの選択した映像データが表示され、ここに表示された映像データが再圧縮対象になる。ユーザーが映像データのリスト１２１のうちから４３１ａと４３１ｅを選択した場合に表示される画面を図３Ｂに示した。同図に示すように、再圧縮対象リスト４３５には、４３１ａと４３１ｅが表示されている。
【００４２】
選択された映像データを再圧縮するためには、‘Ｅｘｅｃｕｔｅ’（実行）アイコン４３７を選択すれば済む。選択した場合、図３Ｃに示すように、画面の中央部に再圧縮率の設定ウィンドウ４５０が表示される。ここで、ＨＱ方式の場合は、デジタル映像信号を４Ｍｂｐｓのビットレートにて記録する方式であり、ＳＱ方式の場合は、２Ｍｂｐｓのビットレートにて記録する方式である。
【００４３】
再圧縮率の設定ウィンドウ４５０に表示された二通りの圧縮率のいずれかを選択すれば、図３ｄに示すように、再圧縮時期の設定ウィンドウ４６０が画面の中央部に表示される。‘Ｎｏｗ’を選択すれば、選択された映像データの再圧縮過程が即時に開始し、‘Ａｕｔｏｍａｔｉｃ’を選択すれば、映像記録／再生装置の主スイッチがＯｆｆされた後に始めて再圧縮過程が開始する。このように、映像記録／再生装置が使用されていない間に選択された映像データの再圧縮過程が行われ得るようにしたのは、再圧縮過程で多くの時間がかかり得るということを考慮したためである。これにより、ユーザーが再圧縮過程が行われる間、映像記録／再生装置が使用できないという不便を防止することができる。
【００４４】
図４は、本発明に係る記録されているデータを再圧縮して書き直す方法を説明するためのフローチャートである。まず、ユーザーがリモートコントローラー２００またはキー入力部１９３に設けられた操作ボタンを用いて編集（Ｅｄｉｔ）モードを選択すれば、テレビ３００には編集モードのメニュー画面がディスプレイされる。ここから、ユーザーが編集メニューのサブメニューのいずれかである‘再圧縮（Ｒｅｃｏｍｐ）’メニューを選択すれば、再圧縮モードが開始する。
【００４５】
再圧縮モードが開始すれば（Ｓ６１１）、主制御部１８０は、データ管理部１７７を制御してハードディスクドライブ１７１に記録された映像データに関する情報を読み出し、読み出された情報をテレビ３００に伝送してディスプレイされるようにする（Ｓ６１３）。映像データに関する情報には、映像の初期画面、題名、記録日付、総再生時間、画質等が含まれ、これは、Ｒｅｃｏｍｐウィンドウ４３０上に表示される。Ｒｅｃｏｍｐウィンドウ４３０には、現にハードディスクドライブ１７１に記録されている映像データのリスト及びカーソルが位置した映像データに関する情報として題名、記録日付、総再生時間、及び画質が表示される。
【００４６】
ユーザーは、表示された映像データのリスト上から再圧縮したい映像データを選択する（Ｓ６１５）。次いで、ユーザーが、‘Ｅｘｅｃｕｔｅ’（実行）アイコン４３７を選択すれば（Ｓ６２１）、画面の中央部に再圧縮率の設定ウィンドウ４５０が表示され、ユーザーは、これを用いてＨＱ方式（４Ｍｂｐｓ）とＳＱ方式（２Ｍｂｐｓ）の圧縮率のいずれかを再圧縮率として選択することができる（Ｓ６２３）。
【００４７】
再圧縮率を選択すれば、画面の中央部には、再圧縮時期の設定ウィンドウ４６０が表示され、ユーザーは、ここから‘Ｎｏｗ’と‘Ａｕｔｏｍａｔｉｃ’のいずれかを選択することができる（Ｓ６２５）。
【００４８】
Ｓ６２５においてユーザーが‘Ｎｏｗ’を選択すれば、選択されたデータの再圧縮過程が即時に開始する（Ｓ６３１）。従って、主制御部１８０は、データ管理部１７７を制御し、Ｓ６１５ステップにおいて選択された映像データがハードディスクドライブ１７１からＭＰＥＧデコーダー１８３へと印加されるようにする（Ｓ６３３）。
【００４９】
ＭＰＥＧデコーダー１８３は、入力されたＭＰＥＧ−２フォーマットの映像データをデコード（伸張）し、デジタルビデオ信号及びデジタルオーディオ信号を復元する（Ｓ６３５）。そして、主制御部１８０は、第２のビデオ経路スイッチ１５０ａ及び第１のビデオ経路スイッチ１４０ａを制御し、復元されたデジタルビデオ信号がＭＰＥＧエンコーダー１６１へと印加されるようにする。また、主制御部１８０は、第２のオーディオ経路スイッチ１５０ｂ及び第１のオーディオ経路スイッチ１４０ｂを制御し、復元されたデジタルオーディオ信号がＭＰＥＧエンコーダー１６１へと印加されるようにする。
【００５０】
ＭＰＥＧエンコーダー１６１は、印加されたデジタルビデオ信号及びデジタルオーディオ信号をユーザーが設定した圧縮率にてエンコード（再圧縮）し（Ｓ６３７）、ハードディスクドライブ１７１に記録する（Ｓ６３９）。
【００５１】
ここで、デジタル映像信号を４Ｍｂｐｓ、２Ｍｂｐｓ、または１Ｍｂｐｓのビットレートにて記録すれば、１時間を記録するのにそれぞれ２ＧＢ、１ＧＢまたは０．５ＧＢの容量を必要とする。従って、最初に６Ｍｂｐｓのビットレート（１時間を記録するのに３ＧＢの容量を必要とする）にて記録されたデータを、４Ｍｂｐｓ、２Ｍｂｐｓ、または１Ｍｂｐｓのビットレートにて書き直せば、必要になる記録媒体の容量がそれぞれ２／３、１／３、または１／６に減少するため、記録媒体をより効率よく使用することができるようになる。
【００５２】
一方、Ｓ６２５において、ユーザーが再圧縮の実行時期を‘Ａｕｔｏｍａｔｉｃ’に設定した場合には、主制御部１８０は、ユーザーが選択した映像データのリストをＳＤＲＡＭ１８７に記録する（Ｓ６４１）。以降、ユーザーが映像記録／再生装置の主スイッチをＯｆｆすれば、始めて選択された映像データの再圧縮過程が開始するが（Ｓ６４３）、その過程はＳ６３３乃至Ｓ６３９による。
【００５３】
以上では本発明の好適な実施例について図示し説明したが、本発明は、上述した特定の実施例に限られるものではなく、特許請求の範囲で請求する本発明の要旨を逸脱することなく当該発明の属する技術分野における通常の知識を有する者によって種々の変形実施が可能であることはもとより、かかる変形実施を、本発明の技術的思想や見込みとは別に理解してはいけない。
【産業上の利用可能性】
【００５４】
本発明は、映像データを圧縮して記録媒体に記録する映像記録／再生装置及びそのデータの再圧縮記録方法に係る。
【図面の簡単な説明】
【００５５】
【図１】本発明の一実施例に係る映像記録／再生装置が適用されるディスプレイシステムを説明するための図である。
【図２】図１の映像記録／再生装置のブロック図である。
【図３Ａ】メニュー画面を用いて、既に記録されているデータを再圧縮して書き直すように設定する方法を説明するための図である。
【図３Ｂ】メニュー画面を用いて、既に記録されているデータを再圧縮して書き直すように設定する方法を説明するための図である。
【図３Ｃ】メニュー画面を用いて、既に記録されているデータを再圧縮して書き直すように設定する方法を説明するための図である。
【図３Ｄ】メニュー画面を用いて、既に記録されているデータを再圧縮して書き直すように設定する方法を説明するための図である。
【図４】本発明に係る記録されているデータを再圧縮して書き直す方法を説明するためのフローチャートである。
【符号の説明】
【００５６】
１００  映像記録／再生装置
１１０  入／出力端子部
１３１  ビデオデコーダー
１３３  オーディオＡ／Ｄ変換部
１３５  オーディオＤ／Ａ変換部
１３７  ビデオエンコーダー
１４０  第１のスイッチ部
１５０  第２のスイッチ部
１６１  ＭＰＥＧエンコーダー
１７１  ＨＤＤ
１８０  主制御部
１８３  ＭＰＥＧデコーダー
【図１】
2005071572.tif 000003
【図２】
2005071572.tif 000004
【図３Ａ】
2005071572.tif 000005
【図３Ｂ】
2005071572.tif 000006
【図３Ｃ】
2005071572.tif 000007
【図３Ｄ】
2005071572.tif 000008
【図４】
2005071572.tif 000009